(57)【要約】【課題】制動制御を行うときの車両の安定性を向上させることができる制動制御システムを提供すること。【解決手段】車両の全車輪にそれぞれ配置された制動装置が車両に作用させる制動力である第一制動力、あるいは車両の動力源を車両の駆動輪に対する負荷とすることで車両に作用させる制動力である第二制動力の少なくともいずれか一方により車両を制動する制動制御システムであって、車両に要求される減速度である要求減速度を実現するときに車両に作用させる制動力における第一制動力と第二制動力との割合が、車両の挙動安定性に影響する走行環境（Ｓ５１０，Ｓ５３０，Ｓ５４０）に応じて変化する（Ｓ５２０，Ｓ５５０）。【選択図】図３
2011218872.tif 000002
【特許請求の範囲】
【請求項１】
車両の全車輪にそれぞれ配置された制動装置が前記車両に作用させる制動力である第一制動力、あるいは前記車両の動力源を前記車両の駆動輪に対する負荷とすることで前記車両に作用させる制動力である第二制動力の少なくともいずれか一方により前記車両を制動する制動制御システムであって、
前記車両に要求される減速度である要求減速度を実現するときに前記車両に作用させる制動力における前記第一制動力と前記第二制動力との割合が、前記車両の挙動安定性に影響する走行環境に応じて変化する
ことを特徴とする制動制御システム。
【請求項２】
前記走行環境による前記挙動安定性の低下が大きな場合には、前記挙動安定性の低下が小さな場合よりも前記第一制動力の割合が高い
請求項１に記載の制動制御システム。
【請求項３】
前記制動制御システムは、前記動力源としてのエンジンのエンジンブレーキ力を前記駆動輪に伝達する無段式の自動変速機の変速制御により前記第二制動力を調節するものである
請求項１または２に記載の制動制御システム。
【請求項４】
前記第二制動力を調節するときの前記自動変速機の変速比は、前記変速比において前記エンジンで発生する音の音量が前記車両の搭乗者に許容されると推定される所定範囲内の変速比に制限される
請求項３に記載の制動制御システム。
【請求項５】
車両の全車輪にそれぞれ配置された制動装置が前記車両に作用させる制動力である第一制動力、あるいは前記全車輪よりも少ない数の車輪に接続された負荷発生装置により前記車両に作用させる制動力である第二制動力の少なくともいずれか一方により前記車両を制動する制動制御システムであって、
前記車両に要求される減速度である要求減速度を実現するときに前記車両に作用させる制動力における前記第一制動力と前記第二制動力との割合が、前記車両の挙動安定性に影響する走行環境に応じて変化する
ことを特徴とする制動制御システム。
【発明の詳細な説明】
【技術分野】
【０００１】
本発明は、制動制御システムに関する。
【背景技術】
【０００２】
従来、動力源を駆動輪に対する負荷とすることで車両に制動力を作用させる技術が知られている。
【０００３】
例えば、特許文献１には、車間距離センサから検知信号を受ける制御装置が、前車との距離が所定の安全値より小ならばＣＶＴの変速比を大きく増大させる変速機制御機構の技術が開示されている。
【先行技術文献】
【特許文献】
【０００４】
【特許文献１】特開２００３−２６７０８７号公報
【発明の概要】
【発明が解決しようとする課題】
【０００５】
しかしながら、動力源を駆動輪に対する負荷とすることで車両に制動力を作用させる場合、走行環境等によっては車両の挙動安定性が低下する可能性がある。制動制御を行うときの車両の安定性を向上できることが望まれている。
【０００６】
本発明の目的は、制動制御を行うときの車両の安定性を向上させることができる制動制御システムを提供することである。
【課題を解決するための手段】
【０００７】
本発明の制動制御システムは、車両の全車輪にそれぞれ配置された制動装置が前記車両に作用させる制動力である第一制動力、あるいは前記車両の動力源を前記車両の駆動輪に対する負荷とすることで前記車両に作用させる制動力である第二制動力の少なくともいずれか一方により前記車両を制動する制動制御システムであって、前記車両に要求される減速度である要求減速度を実現するときに前記車両に作用させる制動力における前記第一制動力と前記第二制動力との割合が、前記車両の挙動安定性に影響する走行環境に応じて変化することを特徴とする。
【０００８】
上記制動制御システムにおいて、前記走行環境による前記挙動安定性の低下が大きな場合には、前記挙動安定性の低下が小さな場合よりも前記第一制動力の割合が高いことが好ましい。
【０００９】
上記制動制御システムにおいて、前記制動制御システムは、前記動力源としてのエンジンのエンジンブレーキ力を前記駆動輪に伝達する無段式の自動変速機の変速制御により前記第二制動力を調節するものであることが好ましい。
【００１０】
上記制動制御システムにおいて、前記第二制動力を調節するときの前記自動変速機の変速比は、前記変速比において前記エンジンで発生する音の音量が前記車両の搭乗者に許容されると推定される所定範囲内の変速比に制限されることが好ましい。
【００１１】
上記制動制御システムは、車両の全車輪にそれぞれ配置された制動装置が前記車両に作用させる制動力である第一制動力、あるいは前記全車輪よりも少ない数の車輪に接続された負荷発生装置により前記車両に作用させる制動力である第二制動力の少なくともいずれか一方により前記車両を制動する制動制御システムであって、前記車両に要求される減速度である要求減速度を実現するときに前記車両に作用させる制動力における前記第一制動力と前記第二制動力との割合が、前記車両の挙動安定性に影響する走行環境に応じて変化することを特徴とする。
【発明の効果】
【００１２】
本発明にかかる制動制御システムは、全車輪にそれぞれ配置された制動装置が車両に作用させる制動力である第一制動力、あるいは車両の動力源を車両の駆動輪に対する負荷とすることで車両に作用させる制動力である第二制動力の少なくともいずれか一方により車両を制動する。この制動制御システムでは、要求減速度を実現するときに車両に作用させる制動力における第一制動力と第二制動力との割合が、車両の挙動安定性に影響する走行環境に応じて変化する。よって、本発明にかかる制動制御システムによれば、制動制御を行うときの車両の安定性を向上させることができるという効果を奏する。
【図面の簡単な説明】
【００１３】
【図１】図１は、実施形態にかかる制動制御システムの動作を示すフローチャートである。
【図２】図２は、許容回転数の演算方法の詳細を示すフローチャートである。
【図３】図３は、最小エンジンブレーキ加速度を決定する方法の詳細を示すフローチャートである。
【図４】図４は、実施形態にかかる車両の概略構成を示す図である。
【図５】図５は、実施形態の制動制御について説明するための図である。
【発明を実施するための形態】
【００１４】
以下に、本発明にかかる制動制御システムの一実施形態につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１５】
（実施形態）
図１から図５を参照して、実施形態について説明する。本実施形態は、制動制御システムに関する。図１は、本発明の実施形態にかかる制動制御システムの動作を示すフローチャート、図４は、実施形態にかかる車両の概略構成を示す図である。
【００１６】
本実施形態の制動制御システムは、ＡＣＣ（Adaptive Cruise Control）制御において必要な減速度を無段変速機（ＣＶＴ）のエンジンブレーキで実現するものであり、最大の減速度をどこまでとするかを状況により変化させる。減速要求に対して、ブレーキ装置を使用せずにＣＶＴの変速によるエンジンブレーキを積極的に使うようにすれば、大きな減速度を実現でき、燃費の向上を図ることも可能である。しかしながら、車両の走行環境（路面の滑りやすさや自車の運動状態等）によっては、エンジンブレーキ使用による効果の大きさと比例して、車両の安定性が低下する可能性がある。例えば、路面μが低い場合には、ブレーキ装置による制動と比較して、エンジンブレーキによる制動では車両の安定性が低下することが考えられる。また、自車の運動状態によって車両の安定性は変化する。例えば、コーナー等で舵を切っているときは車両が不安定になりやすい。
【００１７】
本実施形態の制動制御システムは、自車の安定性を乱す要因に応じて、エンジンブレーキによる制動量とブレーキ装置による制動量との配分を変更する。例えば、低μ路では、ＣＶＴエンジンブレーキを使用すると不安定になりやすいので、エンジンブレーキを使用せずにブレーキ装置による減速を行う。よって、本実施形態の制動制御システムは、制動制御を行うときの車両の安定性を向上させることができる。
【００１８】
また、本実施形態の制動制御システムは、許容できる最大エンジンブレーキを音の観点でとらえる。ＣＶＴの変速によるエンジンブレーキを積極的に使う場合、その効果と比例してエンジン音が大きくなり、ドライバにとって不快なものとなりかねない。ここで、ドライバや同乗者が不快と感じる音の大きさは、状況により変化すると考えられる。
【００１９】
例えば、カーステレオの音量が大であればエンジンブレーキ力を大としてエンジン音が大きくなっても運転者や同乗者に許容されると考えられる。また、走行音の大きなトラックが自車の近くを走っていれば、大きなエンジン音も許容されると考えられる。トラックの存在は、車車間通信やミリ波レーダー、自車周辺の画像データにおける対象物の大きさ等で判定可能である。
【００２０】
本実施形態の制動制御システムは、許容されるエンジン音量が状況によって変化することを利用し、違和感のない範囲で最大限エンジンブレーキを使用する。これにより、フューエルカットを実行可能な場面が増えることなどにより燃費の向上が可能とされる。なお、本実施形態において、特に記載のない限り、加速度とは車両の前後方向の加速度であり、車両の前方に向かう加速度を正とする。また、負の加速度（車両の後方に向かう加速度）を減速度とも記載する。
【００２１】
図４において、符号１は、車両を示す。車両１のパワートレーンは、エンジン１０、トルクコンバータ２０および無段変速機３０を備える。内燃機関であるエンジン１０には、トルクコンバータ２０を介して自動変速機である無段変速機（ＣＶＴ）３０が連結されている。車両１の動力源であるエンジン１０のエンジン出力トルク（動力）は、トルクコンバータ２０を介して無段変速機３０に入力され、デファレンシャルギヤ１８及びドライブシャフト１９を介して駆動輪９０に伝達される。つまり、無段変速機３０は、エンジン１０の出力する動力を車両１の駆動輪９０に伝達する無段式の自動変速機である。
【００２２】
車両１において、駆動輪９０は、前輪であり、後輪（図示せず）は従動輪となっている。つまり、車両１の駆動輪９０の数は、全車輪の数よりも少なく、エンジン１０のエンジンブレーキ力は車両１の一部の車輪のみに作用する。
【００２３】
無段変速機３０は、公知のベルト式無段変速機であり、エンジン側に設けられ、トルクコンバータ２０の出力軸７０に連結されたプライマリプーリ３１と、デファレンシャルギヤ１８に接続される出力軸８０に連結されたセカンダリプーリ３２と、これらの間に掛け渡されたベルト３３とを備えている。油圧制御装置４０は、ＥＣＵ５０から入力される変速比変更指令に応じて、無段変速機３０の変速比を変更する。この油圧制御装置４０は、所定のライン圧をプライマリプーリ側アクチュエータおよびセカンダリプーリ側アクチュエータに供給し、プライマリプーリ側アクチュエータの作動油圧（プライマリ油圧）およびセカンダリプーリ側アクチュエータの作動油圧を調整するものである。油圧制御装置４０は、プライマリプーリ側アクチュエータの作動油圧、及びセカンダリプーリ側アクチュエータの作動油圧を調整することにより、プーリ比を変化させて、変速比を無段階に変化させることができる。
【００２４】
また、無段変速機３０には、プライマリプーリ３１の回転数（プライマリ回転数）を検出するプライマリプーリ回転センサ３４と、セカンダリプーリ３２の回転数（セカンダリ回転数）を検出するセカンダリプーリ回転センサ３５が設けられており、検出されたプライマリ回転数およびセカンダリ回転数は、ＥＣＵ５０に出力される。
【００２５】
トルクコンバータ２０は、無段変速機３０とエンジン１０とを接続している。トルクコンバータ２０は、公知のロックアップ機構を有しており、結合及び開放が可能な動力断続手段であるロックアップクラッチ付きのトルクコンバータとなっている。このロックアップクラッチは、エンジン１０と無段変速機３０との機械的な結合（ロックアップ状態）または開放（コンバータ状態）を行う。また、トルクコンバータ２０の入力軸６０には、この入力軸６０の回転数を検出する回転数センサ２１が設けられている。回転数センサ２１により検出された入力軸回転数は、ＥＣＵ５０に出力される。
【００２６】
駆動輪９０を含む車両１の全車輪には、それぞれブレーキ装置（制動装置）４９が設けられている。ブレーキ装置４９は、ブレーキ油圧制御装置４８から供給される油圧により制動力を発生させることで車両１を制動することができる。ブレーキ油圧制御装置４８は、各車輪のブレーキ装置４９に供給する油圧を独立に制御することが可能である。つまり、車両１では、各々の車輪において異なる制動力を発生させることが可能である。
【００２７】
また、車両１には、車間距離センサ４４が設けられている。車間距離センサ４４は、例えば、車両前部に搭載されたレーザーレーダーセンサ又はミリ波レーダーセンサなどのセンサとすることができる。車間距離センサ４４は、先行車両との車間距離および先行車両との相対車速を検出する。
【００２８】
車両１には、エンジン１０や無段変速機３０などを制御するＥＣＵ（電子制御ユニット）５０が設けられており、このＥＣＵ５０はエンジン１０、トルクコンバータ２０、無段変速機３０（油圧制御装置４０）およびブレーキ装置４９（ブレーキ油圧制御装置４８）の総合的な制御を行う。ＥＣＵ５０は、入出力装置、制御マップや制御プログラムなどを記憶する記憶装置（ＲＯＭ、ＲＡＭ等）、演算装置、Ａ／Ｄ変換器、Ｄ／Ａ変換器、および通信ドライバ回路等で構成されている。本実施形態の制動制御システム１−１は、エンジン１０、無段変速機３０、ブレーキ装置４９およびＥＣＵ５０を備えている。
【００２９】
ＥＣＵ５０は、エンジンブレーキ力を発生させること、すなわちエンジン１０を駆動輪９０に対する負荷とすることで、車両１に制動力を作用させることができる。また、ＥＣＵ５０は、ブレーキ装置４９が発生するブレーキ力により車両１に制動力を作用させることができる。本実施形態のＥＣＵ５０は、ブレーキ装置４９が車両１に作用させる制動力である第一制動力、あるいはエンジン１０を駆動輪９０に対する負荷とすることで車両１に作用させる制動力である第二制動力の少なくともいずれか一方により車両１を制動する。
【００３０】
エンジンブレーキ力により車両１に制動力を作用させる場合、無段変速機３０によってエンジンブレーキ力が駆動輪９０に伝達される。ＥＣＵ５０は、無段変速機３０の変速制御により、第二制動力を調節する。無段変速機３０の変速制御により、車両１に第二制動力が作用する状態と車両１に第二制動力が作用しない状態とを切替えることも可能である。つまり、エンジン１０および無段変速機３０は、全車輪よりも少ない数の車輪に接続された負荷発生装置として機能することができる。ここで、「全車輪よりも少ない数の車輪に接続されている」とは、左右の車輪を車輪対としたときに、全車輪対よりも少ない数の車輪対がエンジン１０および無段変速機３０と接続されていることを示す。
【００３１】
さらに、車両１には、アクセルペダルの操作量（アクセル開度）を検出するアクセルポジションセンサ１１が設けられており、検出したアクセル開度はＥＣＵ５０に出力される。エンジン１０の吸気管１２には電子スロットルバルブ１３が設けられており、この電子スロットルバルブ１３はスロットルアクチュエータ１４により開閉可能となっている。ＥＣＵ５０はこのスロットルアクチュエータ１４により電子スロットルバルブ１３を駆動し、アクセル開度にかかわらずスロットル開度を任意の開度に制御することができる。車両１には、電子スロットルバルブ１３の全閉状態及びスロットル開度を検出するスロットルポジションセンサ１５が設けられており、検出したスロットル開度はＥＣＵ５０に出力される。符号２３は、エンジン１０の排気管を示す。
【００３２】
エンジン１０には、エンジン回転数（エンジン回転速度）を検出するエンジン回転数センサ１７が設けられており、検出したエンジン回転数はＥＣＵ５０に出力される。また、車両１には、車両１の走行速度を検出する車速センサ４１が設けられていると共に、運転者が操作するシフトレバーの位置を検出するシフトポジションセンサ４２が設けられており、検出した車速やシフトポジションはＥＣＵ５０に出力される。また、車両１には、図示しないブレーキペダルの操作量を検出するブレーキ操作量センサ４３が設けられている。ブレーキ操作量センサ４３により検出されたブレーキ操作量（踏力やペダルストローク）は、ＥＣＵ５０に出力される。
【００３３】
上記ＥＣＵ５０は、エンジン回転数、吸入空気量、スロットル開度などのエンジン１０の運転状態に基づいて燃料噴射量、噴射時期、点火時期などを決定し、インジェクタや点火プラグなどを制御する。また、ＥＣＵ５０は、変速マップを有しており、スロットル開度、車速などに基づいて、無段変速機３０の変速比を決定し、この決定された変速比を成立させるように油圧制御装置４０を制御する。
【００３４】
また、ＥＣＵ５０は、エンジンブレーキ力やブレーキ装置４９が発生する制動力による制動制御を行うことができる。ＥＣＵ５０は、ブレーキ操作量センサ４３により検出されたブレーキ操作量にかかわらずブレーキ装置４９で発生させる制動力を制御することができる。例えば、ドライバによる制動操作がなされていないとき（ブレーキＯＦＦ）であっても、後述するＡＣＣ制御等において要求される減速度を実現するためにブレーキ装置４９に制動力を発生させることができる。また、ＥＣＵ５０は、無段変速機３０の変速制御によりエンジン回転数を変化させてエンジンブレーキ力を調節することで要求される減速度を実現することができる。
【００３５】
ＥＣＵ５０は、ＡＣＣ制御を実行可能である。ＡＣＣ制御は、レーダー等により先行車を検出し、先行車に合わせ一定の車間距離を保つように追従走行する制御である。また、ＥＣＵ５０は、車両１の車速が一定車速となるように車両１を走行させる定速走行制御を実行可能である。
【００３６】
本実施形態の制動制御システム１−１は、以下に説明するように、ＡＣＣ制御や定速走行制御などの自動走行制御の実行中に、減速要求がなされた場合、車両１の挙動安定性に影響する走行環境に応じて、エンジンブレーキ力による制動量とブレーキ装置４９による制動量との配分を決定する。これにより、制動制御を行うときの車両１の安定性を向上させることができる。また、制動制御システム１−１は、エンジンブレーキを作用させる場合のエンジン音量が車両１の搭乗者に許容される範囲におさまるように上記した制動量の配分を決定する。これにより、違和感のない範囲内で最大限エンジンブレーキを使用して車両１を制動することができ、燃費の向上を図ることができる。
【００３７】
図１から図３を参照して、本実施形態の動作について説明する。図１に示す制御フローは、自動走行制御の実行中に繰り返し実行される。
【００３８】
図１を参照して、ステップＳ１０では、ＥＣＵ５０によりＡＣＣ制御中であるか否かが判定される。その判定の結果、ＡＣＣ制御中であると判定された場合（ステップＳ１０−Ｙ）には、ステップＳ２０、ステップＳ６０およびステップＳ８０にそれぞれ進み、そうでない場合（ステップＳ１０−Ｎ）には肯定判定がなされるまでステップＳ１０の判定が繰り返される。
【００３９】
ステップＳ２０では、ＥＣＵ５０により、ＣＶＴエンブレ許容エンジン回転数ＣＶＴ＿Ｎｅが演算される。ＣＶＴエンブレ許容エンジン回転数（以下、単に「許容回転数」と記載する。）ＣＶＴ＿Ｎｅは、発生するエンジン音が運転者を含む搭乗者に許容される範囲で最大のエンジンブレーキ力を発生させることができるエンジン回転数である。本実施形態では、エンジンブレーキ力により車両１に制動力を作用させる場合に、エンジン回転数が許容回転数ＣＶＴ＿Ｎｅを超えるようなエンジンブレーキ力を発生させることが禁止される。つまり、第二制動力を調節するときの無段変速機３０の変速比は、その変速比においてエンジン１０で発生する音の音量が搭乗者に許容されると推定される所定範囲内の変速比に制限される。図２は、許容回転数ＣＶＴ＿Ｎｅの演算方法の詳細を示すフローチャートである。
【００４０】
（許容回転数ＣＶＴ＿Ｎｅの決定方法）
ＥＣＵ５０は、以下に詳しく説明するように、車室内外音量に対する許容音量推定（ステップＳ２０１〜Ｓ２２０）およびドライバに対する許容音量推定（ステップＳ２３１〜Ｓ２３３）を実行し、それぞれにおいて推定された許容音量を調停して許容エンジン音量を決定する（ステップＳ２５０）。一方、ＥＣＵ５０は、同乗者に対する許容音量補正値推定（ステップＳ２４１〜Ｓ２４３）を実行し、推定された補正値に基づいて許容エンジン音量を補正する（ステップＳ２６０）。そして、許容エンジン音量に基づいて許容回転数ＣＶＴ＿Ｎｅを決定する（ステップＳ２７０）。
【００４１】
まず、ステップＳ２０１では、ＥＣＵ５０により、オーディオ音量が推定される。オーディオ音量とは、例えば、車両１の図示しないオーディオ装置（カーステレオ）のスピーカから出力される音の車室内における音量である。ＥＣＵ５０は、例えば、オーディオ装置における設定音量に基づいて車室内のオーディオ音量を推定することができる。
【００４２】
次に、ステップＳ２０２では、ＥＣＵ５０により、エアコン風による音量が推定される。エアコン風による音量とは、車両１の図示しないエアコン装置の吹き出し口からエアコン風が吹き出すときに発生する音の車室内における音量である。ＥＣＵ５０は、エアコン装置の現在の風量に基づいてエアコン風による音量を推定することができる。
【００４３】
ステップＳ２０３では、ＥＣＵ５０により、車室内音量が推定される。ＥＣＵ５０は、ステップＳ２０１で推定されたオーディオ音量と、ステップＳ２０２で推定されたエアコン風による音量とに基づいて、現在の車室内音量を推定する。例えば、オーディオ音量とエアコン風による音量のうち大きな方の音量が車室内音量とされる。ステップＳ２０３が実行されると、ステップＳ２２０に進む。
【００４４】
また、ステップＳ２１１では、ＥＣＵ５０により、風切り音およびロードノイズの音量が推定される。ＥＣＵ５０は、例えば、現在の車速に基づいて風切り音およびロードノイズの車室外における音量を推定する。ＥＣＵ５０は、車速と風切り音の音量との対応関係、および車速とロードノイズの音量との対応関係を例えばマップとして予め記憶しており、これらのマップを参照して風切り音およびロードノイズそれぞれの音量を推定する。なお、ロードノイズの音量は、さらに路面状況（凹凸等）や天候（雨天であるか等）が考慮されて推定されてもよい。
【００４５】
次に、ステップＳ２１２では、ＥＣＵ５０により雨滴音量が推定される。雨滴音量は、雨滴が車両１に当たることにより発生する音の車室外における音量である。ＥＣＵ５０は、例えば、図示しない雨滴センサの検出結果に基づいて降雨の有無や降雨量を検出することができる。降雨時である場合、ＥＣＵ５０は、例えば降雨量と車速に基づいて雨滴音量を推定することができる。
【００４６】
次に、ステップＳ２１３では、ＥＣＵ５０により車室外音量が推定される。ＥＣＵ５０は、ステップＳ２１１で推定された風切り音およびロードノイズの音量と、ステップＳ２１２で推定された雨滴音量とに基づいて、現在の車室外音量を推定する。例えば、風切り音の音量、ロードノイズの音量および雨滴音量のうち最大の音量が車室外音量とされる。ステップＳ２１３が実行されると、ステップＳ２２０に進む。
【００４７】
ステップＳ２２０では、ＥＣＵ５０により、車室内／外音量に対する許容エンジン音量が推定される。ＥＣＵ５０は、ステップＳ２０３で推定された車室内音量と、ステップＳ２１３で推定された車室外音量とに基づいて許容エンジン音量を推定する。例えば、オーディオ音量やエアコン風による音量などの車室内音量が大きな場合には、車室内音量が小さな場合よりも大きなエンジン音量が許容されやすいため、許容エンジン音量が大きな値として設定される。また、風切り音、ロードノイズおよび雨滴音などの音量である車室外音量が大きな場合には、車室外音量が小さな場合よりも許容エンジン音量が大きな値として設定される。ステップＳ２２０が実行されると、ステップＳ２５０に進む。
【００４８】
一方、ステップＳ２３１では、ＥＣＵ５０によりドライバが特定される。ＥＣＵ５０は、例えば、ドライバの認証結果に基づいて現在のドライバを特定する。ドライバの認証は、ドライバ自身によるボタン操作等の認証手段により行われる。なお、ドライバの特定方法はこれには限定されず、他の公知のドライバ特定方法によりドライバが特定されてもよい。
【００４９】
次に、ステップＳ２３２では、ＥＣＵ５０により、ドライバの癖が推定される。ＥＣＵ５０は、ドライバの運転操作等の癖を学習し、その学習結果を記憶する機能を有する。ＥＣＵ５０は、ステップＳ２３１で特定されたドライバに関する学習結果に基づいて、そのドライバの癖を推定する。ここで、ドライバの癖とは、例えば、エンジンブレーキを用いる頻度など、エンジン１０を高回転域で運転させる頻度である。
【００５０】
次に、ステップＳ２３３では、ＥＣＵ５０により、ドライバに対する許容エンジン音量が推定される。ＥＣＵ５０は、ステップＳ２３２で推定されたドライバの癖に基づき、ステップＳ２３１で特定されたドライバに対する許容エンジン音量を推定する。無段変速機３０の変速比をマニュアル操作により低速側の変速比としてエンジンブレーキを効かせたり、アクセルペダルを大きく踏み込んで低速側の変速比で加速させたりするなど、エンジン１０を高回転域で運転させる操作を多用するドライバである場合、エンジン１０を高回転域で運転させることが少ないドライバよりも大きなエンジン音量が許容されると推定できる。このため、エンジンブレーキを多用するドライバ等に対しては、許容エンジン音量が大きな値として設定される。ステップＳ２３３が実行されると、ステップＳ２５０に進む。
【００５１】
また、ステップＳ２４１では、ＥＣＵ５０により、同乗者の有無が判定される。同乗者の有無は、例えば、座席に設けられたセンサの検出結果に基づいて判定することが可能である。ＥＣＵ５０は、例えば、シートベルトが着用されているか否かを検出するセンサや、座席にかかる荷重を検出するセンサによって同乗者の有無を判定することができる。
【００５２】
次に、ステップＳ２４２では、ＥＣＵ５０により、同乗者の乗車位置が推定される。ＥＣＵ５０は、車室内のどの座席に同乗者が着座しているかを推定する。ＥＣＵ５０は、ステップＳ２４１の判定に用いるセンサの検出結果からステップＳ２４２の推定を行うことができる。ＥＣＵ５０は、例えば、同乗者が助手席にいるのか、後部座席にいるのかなど、ドライバと同乗者との位置関係を推定する。
【００５３】
次に、ステップＳ２４３では、ＥＣＵ５０により、同乗者の有無および同乗者の乗車位置に対する許容エンジン音量の補正値が演算される。ＥＣＵ５０は、同乗者がある場合には、同乗者がない場合よりも許容エンジン音量を低減させるように補正値を決定する。また、同乗者がある場合、後部座席に同乗者がいる場合には、後部座席に同乗者がいない場合よりも許容エンジン音量を低減させるように補正値を決定する。このようにすれば、後部座席の同乗者とドライバや助手席の同乗者との会話がエンジン音によって妨げられることが抑制可能となる。ステップＳ２４３が実行されると、ステップＳ２６０に進む。
【００５４】
ステップＳ２５０では、ＥＣＵ５０により、許容エンジン音量の調停がなされる。ＥＣＵ５０は、ステップＳ２２０で車室内音量および車室外音量に基づいて推定された許容エンジン音量と、ステップＳ２３３でドライバの癖に基づいて推定された許容エンジン音量とを調停して許容エンジン音量を決定する。具体的には、ＥＣＵ５０は、調停対象の許容エンジン音量の最大値を選択（ＭＡＸ選択）してその最大値を許容エンジン音量とする。
【００５５】
次に、ステップＳ２６０では、ＥＣＵ５０により、許容エンジン音量の補正演算がなされる。ＥＣＵ５０は、ステップＳ２５０で調停の結果決定された許容エンジン音量に対して、ステップＳ２４３で決定された許容エンジン音量補正値による補正を行って最終的な許容エンジン音量を決定する。
【００５６】
次に、ステップＳ２７０では、ＥＣＵ５０により、許容エンジン音量におさまるエンジン回転数として許容回転数ＣＶＴ＿Ｎｅが演算される。ＥＣＵ５０は、エンジン回転数とそのエンジン回転数で発生するエンジン音との対応関係を例えばマップとして予め記憶しており、そのマップを参照して許容回転数ＣＶＴ＿Ｎｅを演算する。エンジン音量がステップＳ２６０で決定された許容エンジン音量以下となるエンジン回転数の範囲で最大のエンジン回転数が許容回転数ＣＶＴ＿Ｎｅとして決定される。ステップＳ２７０で許容回転数ＣＶＴ＿Ｎｅが決定されると、図２の制御フローは終了してステップＳ２０（図１）に戻り、ステップＳ３０に進む。
【００５７】
ステップＳ３０では、ＥＣＵ５０により、スロットルＯＦＦとしてエンジン回転数を許容回転数ＣＶＴ＿Ｎｅとしたときに出るであろう駆動力ＣＶＴ＿Ｆを推定する。この推定される駆動力（以下、単に「許容最小駆動力」と記載する。）ＣＶＴ＿Ｆは、電子スロットルバルブ１３をＯＦＦ（全閉）として無段変速機３０の変速制御により許容回転数ＣＶＴ＿Ｎｅを実現した場合に車両１に作用する駆動力（制動力）の推定値である。許容回転数ＣＶＴ＿Ｎｅを実現できる無段変速機３０の変速比は、車速と許容回転数ＣＶＴ＿Ｎｅとに基づいて決定可能である。ＥＣＵ５０は、この変速比と、許容回転数ＣＶＴ＿Ｎｅにおけるエンジン１０の出力トルクとに基づいて許容最小駆動力ＣＶＴ＿Ｆを決定する。
【００５８】
次に、ステップＳ４０では、ＥＣＵ５０により、許容最小駆動力ＣＶＴ＿Ｆを実現したときに出る加速度ＣＶＴ＿ＭＩＮ＿ａを推定する。この推定される加速度（以下、単に「許容最小加速度」と記載する。）ＣＶＴ＿ＭＩＮ＿ａは、許容最小駆動力ＣＶＴ＿Ｆが車両１に作用したときに車両１に発生する加速度（減速度）である。ＥＣＵ５０は、許容最小駆動力ＣＶＴ＿Ｆと車両１の諸元（例えば、車両質量）に基づいて許容最小加速度ＣＶＴ＿ＭＩＮ＿ａを決定する。
【００５９】
次に、ステップＳ５０では、ＥＣＵ５０により、ステップＳ４０で決定された許容最小加速度ＣＶＴ＿ＭＩＮ＿ａを最小とする範囲内で、ＣＶＴエンジンブレーキでどこまでの減速度を実現させるかを決定する。ＥＣＵ５０は、走行環境に基づき、ＣＶＴエンジンブレーキで発生させる加速度の最小値である最小エンジンブレーキ加速度ＣＶＴ＿Ｌｏｗ＿ａを決定する。図３は、最小エンジンブレーキ加速度ＣＶＴ＿Ｌｏｗ＿ａを決定する方法の詳細を示すフローチャートである。
【００６０】
（最小エンジンブレーキ加速度ＣＶＴ＿Ｌｏｗ＿ａの決定方法）
ＥＣＵ５０は、以下に詳しく説明するように、他車や障害物との衝突可能性に基づく最小エンジンブレーキ加速度ＣＶＴ＿Ｌｏｗ＿ａの候補の演算（ステップＳ５１０、Ｓ５２０）および自車の挙動安定性に基づく最小エンジンブレーキ加速度ＣＶＴ＿Ｌｏｗ＿ａの候補の演算（ステップＳ５３０〜Ｓ５５０）を実行し、調停を行って最小エンジンブレーキ加速度ＣＶＴ＿Ｌｏｗ＿ａを決定する（ステップＳ５６０）。
【００６１】
まず、ステップＳ５１０では、ＥＣＵ５０により、他車、障害物との衝突可能性が演算される。ＥＣＵ５０は、車間距離センサ４４の検出結果に基づいて衝突可能性を演算することができる。例えば、車間距離センサ４４の検出結果の車間距離および相対車速に基づいて衝突可能性を算出する。なお、衝突可能性が高い場合には、ドライバによる制動操作やステアリング操作等が行われて車両１の安定性が低下する可能性が高いと考えられる。従って、衝突可能性（先行車と自車との関係）は、車両１の挙動安定性に影響する走行環境である。
【００６２】
次に、ステップＳ５２０では、ＥＣＵ５０により、衝突可能性に応じた制動力の配分が演算される。ここで、制動力の配分とは、車両１に要求される要求減速度を実現するときに車両１に作用させる制動力における、ＣＶＴエンジンブレーキにより車両１に作用させる制動力である第二制動力とブレーキ装置４９が車両１に作用させる制動力である第一制動力との配分（以下、単に「制動力配分」と記載する。）である。制動力配分は、要求減速度を実現するときに車両１に作用させる制動力における第一制動力と第二制動力との割合に対応している。ＥＣＵ５０は、以下に図５を参照して説明するように、衝突可能性に応じて最小エンジンブレーキ加速度ＣＶＴ＿Ｌｏｗ＿ａを変化させることで、制動力配分を変化させる。図５は、本実施形態の制動制御について説明するための図である。
【００６３】
図５において、縦軸は車両１の加速度を示す。また、符号Ｇ１は、通常エンジンブレーキで出る減速度、言い換えると、ＡＣＣ制御等の制駆動力制御がなされていない場合にアクセルＯＦＦされ、スロットルＯＦＦの状態でエンジンブレーキにより車両１に発生する減速度（以下、単に「スロットルＯＦＦ減速度」と記載する。）である。このスロットルＯＦＦ減速度Ｇ１と最小エンジンブレーキ加速度ＣＶＴ＿Ｌｏｗ＿ａとの間の加速度の領域Ｒ１では、ＥＣＵ５０は、ブレーキ装置４９の制動力（第一制動力）によらずに、エンジンブレーキによる制動力（第二制動力）で要求減速度を実現する。この領域Ｒ１は、無段変速機３０の変速制御によるエンジンブレーキ力により車両１の制動制御を行うＣＶＴ制御領域である。ＣＶＴ制御領域Ｒ１は、エンジン１０で発生する音の音量が車両１の搭乗者に許容されると推定される変速比の範囲（所定範囲）に対応している。
【００６４】
また、最小エンジンブレーキ加速度ＣＶＴ＿Ｌｏｗ＿ａよりも小さな加速度の領域Ｒ２では、ＥＣＵ５０は、第二制動力のみならず第一制動力も発生させて要求減速度を実現する。この領域Ｒ２は、ブレーキ装置４９を制御して第一制動力を発生させて車両１の制動制御を行うブレーキ制御領域である。ブレーキ制御領域Ｒ２では、エンジンブレーキによる第二制動力を最小エンジンブレーキ加速度ＣＶＴ＿Ｌｏｗ＿ａに対応する制動力に保ち、要求減速度に対して不足する分の減速度を第一制動力により発生させる。つまり、衝突可能性等から決定された最小エンジンブレーキ加速度ＣＶＴ＿Ｌｏｗ＿ａによって、発生させることができるエンジンブレーキ力に上限が設けられ、この上限を超える分のブレーキ力はブレーキ装置４９が発生させる。
【００６５】
ＥＣＵ５０により演算される最小エンジンブレーキ加速度ＣＶＴ＿Ｌｏｗ＿ａは、衝突可能性が大きい場合には、矢印Ｙ１で示すように大きな値（加速度０に近い減速度小の値）となり、衝突可能性が小さい場合には、矢印Ｙ２で示すように小さな値（加速度０から遠い減速度大の値）となる。これにより、要求減速度が同じであっても、最小エンジンブレーキ加速度ＣＶＴ＿Ｌｏｗ＿ａにより、制動力配分が変化することとなる。つまり、ＥＣＵ５０は、最小エンジンブレーキ加速度ＣＶＴ＿Ｌｏｗ＿ａを変化させることで、制動力配分を調節することができる。衝突可能性が高い、言い換えると車両１の挙動安定性が低下する可能性が高い場合、衝突可能性が低い場合よりも、最小エンジンブレーキ加速度ＣＶＴ＿Ｌｏｗ＿ａが大きな値となる。つまり、要求減速度を実現するときに車両１に作用させる制動力における第二制動力の割合の上限が低下し、ブレーキ装置４９による制動力の割合が高くなる。言い換えると、走行環境（ここでは、衝突可能性）による車両１の挙動安定性の低下が大きな場合には、挙動安定性の低下が小さな場合よりも、第一制動力の割合が高くなる。
【００６６】
なお、図５では、最小エンジンブレーキ加速度ＣＶＴ＿Ｌｏｗ＿ａが、許容最小加速度ＣＶＴ＿ＭＩＮ＿ａよりも大きな加速度であるが、他車や障害物がない場合には、最小エンジンブレーキ加速度ＣＶＴ＿Ｌｏｗ＿ａが、許容最小加速度ＣＶＴ＿ＭＩＮ＿ａと一致してもよい。
【００６７】
ＥＣＵ５０は、ブレーキ装置４９で発生させる減速度に基づいて、各車輪のブレーキ装置４９の制動力（制動量）を調節する。例えば、ブレーキ装置４９で発生させる制動力を前輪および後輪に均等に配分してもよく、駆動輪９０のブレーキ装置４９の制動力を従動輪（後輪）のブレーキ装置４９の制動力よりも小さくするようにしてもよい。ステップＳ５２０で最小エンジンブレーキ加速度ＣＶＴ＿Ｌｏｗ＿ａの候補の演算がなされると、ステップＳ５６０に進む。
【００６８】
ステップＳ５３０では、ＥＣＵ５０により、路面μが推定される。路面μは、車両１の挙動安定性に影響する走行環境である。ＥＣＵ５０は、公知の路面μの算出方法により路面μを推定する。
【００６９】
次に、ステップＳ５４０では、ＥＣＵ５０により、自車が不安定になる可能性が演算される。ＥＣＵ５０は、ステップＳ５３０で推定された路面μに基づいて自車が不安定になる可能性を算出する。なお、更に路面勾配等が考慮されて自車が不安定になる可能性が演算されてもよい。
【００７０】
次に、ステップＳ５５０では、ＥＣＵ５０により自車が不安定になる可能性に応じた制動力配分が演算される。ＥＣＵ５０は、自車が不安定になる可能性が大きな場合には、その可能性が小さな場合よりも最小エンジンブレーキ加速度ＣＶＴ＿Ｌｏｗ＿ａを大きな値とする。これにより、要求減速度を実現するときに車両１に作用させる制動力における第二制動力の割合の上限が低下し、ブレーキ装置４９による制動力の割合が高くなる。つまり、走行環境（ここでは、路面μ）による車両１の挙動安定性の低下が大きな場合には、挙動安定性の低下が小さな場合よりも、第一制動力の割合が高くなる。ステップＳ５５０が実行されると、ステップＳ５６０に進む。
【００７１】
ステップＳ５６０では、ＥＣＵ５０により、最小エンジンブレーキ加速度ＣＶＴ＿Ｌｏｗ＿ａの調停がなされる。ＥＣＵ５０は、ステップＳ５２０で算出された最小エンジンブレーキ加速度ＣＶＴ＿Ｌｏｗ＿ａの候補と、ステップＳ５５０で算出された最小エンジンブレーキ加速度ＣＶＴ＿Ｌｏｗ＿ａの候補とのＭＡＸ選択を行い、選択された最小エンジンブレーキ加速度ＣＶＴ＿Ｌｏｗ＿ａの候補を最小エンジンブレーキ加速度ＣＶＴ＿Ｌｏｗ＿ａとして決定する。ＭＡＸ選択がなされることで、発生させる制動力の総和におけるエンジンブレーキによる第二制動力の割合が小さなものとされ、制動中の車両１の挙動安定性の低下が抑制される。ステップＳ５６０が実行されると、図３の制御フローは終了してステップＳ５０（図１）に戻り、ステップＳ７０に進む。
【００７２】
ステップＳ６０では、ＥＣＵ５０により、ブレーキ不許可の要求Ｇ（要求加速度）が演算される。ＥＣＵ５０は、自動走行制御の要求加速度として、ブレーキ不許可の要求加速度Ｇａおよびブレーキ許可の要求加速度Ｇｂの二つの要求加速度を算出する。ブレーキ不許可の要求加速度Ｇａは、例えば、一定速度で走行するために要求される加速度である。このブレーキ不許可の要求加速度Ｇａを実現する制駆動力制御では、ブレーキ装置４９の制動力によるブレーキ制御が禁止される。従って、減速要求がなされる場合、要求可能な減速度は、エンジンブレーキ力による第二制動力で実現可能な範囲の減速度に制限されることとなる（後述するステップＳ７０参照）。ＥＣＵ５０は、現在設定されている定速走行の目標速度に基づき、公知の方法によって目標加速度を算出し、算出された目標加速度をブレーキ不許可の要求加速度Ｇａとする。
【００７３】
次に、ステップＳ７０では、ＥＣＵ５０により、要求加速度の上下限処理がなされる。ＥＣＵ５０は、ステップＳ６０で演算されたブレーキ不許可の要求加速度Ｇａに対して、上限加速度および下限加速度のガード処理を実行する。ＥＣＵ５０は、ステップＳ６０で演算されたブレーキ不許可の要求加速度ＧａとステップＳ５０で決定された最小エンジンブレーキ加速度ＣＶＴ＿Ｌｏｗ＿ａとのＭＡＸ選択を行い、選択された値でブレーキ不許可の要求加速度Ｇａを更新する。これにより、ステップＳ６０で演算されたブレーキ不許可の要求加速度Ｇａに対して最小エンジンブレーキ加速度ＣＶＴ＿Ｌｏｗ＿ａを下限とするガード処理がなされる。また、ＥＣＵ５０は、予め定められた上限加速度と最小エンジンブレーキ加速度ＣＶＴ＿Ｌｏｗ＿ａとのＭＩＮ選択を行い、選択された値でブレーキ不許可の要求加速度Ｇａを更新する。ステップＳ７０が実行されると、ステップＳ１００に進む。
【００７４】
ステップＳ８０では、ＥＣＵ５０により、ブレーキ許可の要求加速度Ｇｂが演算される。ブレーキ許可の要求加速度Ｇｂは、例えば、先行車に追従するために要求される加速度である。このブレーキ許可の要求加速度Ｇｂを実現する制駆動力制御では、ブレーキ装置４９の制動力によるブレーキ制御が許可される。従って、要求可能な減速度は、最小エンジンブレーキ加速度ＣＶＴ＿Ｌｏｗ＿ａには影響されず、予め定められた下限値（例えば、−０．３Ｇ）による下限処理がなされる。ＥＣＵ５０は、先行車と自車との関係（車間距離、相対車速等）に基づいて、公知の方法により目標加速度を算出し、算出された目標加速度をブレーキ許可の要求加速度Ｇｂとする。
【００７５】
次に、ステップＳ９０では、ＥＣＵ５０により、要求加速度の上下限処理がなされる。ＥＣＵ５０は、ステップＳ８０で演算されたブレーキ許可の要求加速度Ｇｂに対して、上限加速度および下限加速度のガード処理を実行する。この上限加速度および下限加速度は、それぞれ予め定められた値である。ステップＳ９０が実行されると、ステップＳ１００に進む。
【００７６】
ステップＳ１００では、ＥＣＵ５０により、要求加速度の調停がなされる。ＥＣＵ５０は、ステップＳ７０で上下限処理がなされたブレーキ不許可の要求加速度ＧａおよびステップＳ９０で上下限処理がなされたブレーキ許可の要求加速度ＧｂのＭＩＮ選択により、要求加速度を決定する。
【００７７】
次に、ステップＳ１１０では、ＥＣＵ５０により、要求加速度を実現する制駆動力制御が実行される。ＥＣＵ５０は、ステップＳ１００における調停結果の要求加速度が、スロットルＯＦＦ減速度Ｇ１よりも小さな加速度であると、制動制御を行う。要求加速度が、ＣＶＴ制御領域Ｒ１（図５参照）にある場合には、ＥＣＵ５０は、無段変速機３０の変速制御で調節されるエンジンブレーキ力による第二制動力で要求加速度を実現する。また、要求加速度が、ブレーキ制御領域Ｒ２にある場合、ＥＣＵ５０は、第二制動力およびブレーキ装置４９で発生させる第一制動力で要求加速度を実現する。ステップＳ１１０が実行されると、本制御フローは終了する。
【００７８】
以上説明したように、本実施形態の制動制御システム１−１によれば、車両１の挙動安定性に影響する走行環境に応じて制動力配分が変化することで、制動制御を行うときの車両１の安定性を向上させることができる。また、車室内音量や車室外音量に応じた許容エンジン音量に基づいて許容回転数ＣＶＴ＿Ｎｅが決定されて制動力配分が変化することで、車両１の搭乗者にとって違和感のない範囲で最大限エンジンブレーキを使用することができ、燃費の向上を実現可能である。
【００７９】
なお、本実施形態では、車両１において自動走行制御がなされている場合に制動力配分が変化する制動制御が実行されたが、これには限定されず、他の制動要求に対して制動力配分が変化する制動制御が実行されてもよい。例えば、走行環境（コーナー、信号、踏切、一旦停止、料金所等）に基づく車両１の走行制御において要求される減速度に対して、本実施形態の制動力配分が変化する制動制御が実行されてもよい。また、運転者による制動操作に応じて車両１を減速させる際に本実施形態の制動力配分が変化する制動制御が実行されてもよい。
【００８０】
本実施形態では、前輪が駆動輪９０であったが、これには限定されない。例えば、後輪が駆動輪９０、前輪が従動輪とされてもよい。また、車両１は、全ての車輪が駆動輪９０である全輪駆動式の車両であってもよい。全輪駆動式の車両において、各車輪に対する駆動力の配分比率は、最適な制動力の配分比率とは異なる場合がある。この場合、エンジンブレーキ力による第二制動力が大きくなると、ブレーキ装置４９で制動する場合よりも車両１の安定性が低下することがある。よって、例えば駆動力の配分比率に応じてエンジンブレーキ力による第二制動力の上限を決定し、制動力配分を変化させるようにすれば、制動制御を行うときの車両１の安定性を向上させることができる。
【００８１】
本実施形態では、エンジン回転数を調節する自動変速機が無段変速機３０であったが、これには限定されない。自動変速機は、変速比の変更によりエンジン回転数を変化させることができるものであればよく、例えば有段式の自動変速機であってもよい。
【００８２】
（実施形態の変形例）
上記実施形態では、ドライバの癖に応じて許容エンジン音量が推定されたが、これに加えて、あるいはこれに代えて、ドライバが許容エンジン音量を設定できるようにしてもよい。例えば、ドライバが予め許容エンジン音量を設定しておくことができるようにする方法や、エンジンブレーキを作用させた場合に許容できるエンジン音量であるかをシステム側から確認する方法とすればよい。
【産業上の利用可能性】
【００８３】
以上のように、本発明にかかる制動制御システムは、動力源を駆動輪に対する負荷とすることで車両に制動力を作用させることが可能な車両の制動制御に有用であり、特に、制動制御を行うときの車両の安定性を向上させるのに適している。
【符号の説明】
【００８４】
１−１  制動制御システム
１  車両
１０  エンジン
３０  無段変速機
４０  油圧制御装置
４９  ブレーキ装置
５０  ＥＣＵ
９０  駆動輪
ＣＶＴ＿Ｎｅ  許容回転数
ＣＶＴ＿Ｆ  許容最小駆動力
ＣＶＴ＿ＭＩＮ＿ａ  許容最小加速度
ＣＶＴ＿Ｌｏｗ＿ａ  最小エンジンブレーキ加速度
Ｇ１  スロットルＯＦＦ減速度
Ｇａ  ブレーキ不許可の要求加速度
Ｇｂ  ブレーキ許可の要求加速度
Ｒ１  ＣＶＴ制御領域
Ｒ２  ブレーキ制御領域
【図１】
2011218872.tif 000003
【図２】
2011218872.tif 000004
【図３】
2011218872.tif 000005
【図４】
2011218872.tif 000006
【図５】
2011218872.tif 000007